(57)【要約】【課題】小型化した場合であっても絶縁信頼性の高い避雷器を提供する。【解決手段】内部に絶縁性ガス２が封入される筒状の絶縁容器１と絶縁容器１に収容される非直線抵抗体を複数積層した内部要素３と、絶縁容器１の一方の端部に設けられ、内部要素３と電気的に接続された接地側固定電極４と、絶縁容器１の他方の端部に設けられ、内部要素３と電気的に接続された高電圧側固定電極５と、を備えた避雷器Ａであって、絶縁容器１の内周面の少なくとも一部に、非線形抵抗コーティング７が塗布され、接地側固定電極４と高電圧側固定電極５とが、非線形抵抗コーティング７を介して電気的に接続されている。また、絶縁容器１の高電圧側固定電極側５の近傍部分が、高電圧側固定電極５からの電気力線に沿った形状に形成されていても良い。【選択図】図１
2014187151.tif 000002
【特許請求の範囲】
【請求項１】
内部に絶縁性ガスが封入される筒状の絶縁容器と、
前記絶縁容器に収容される非直線抵抗体を複数積層した内部要素と、
前記絶縁容器の一方の端部に設けられ、前記内部要素と電気的に接続された接地側固定電極と、
前記絶縁容器の他方の端部に設けられ、前記内部要素と電気的に接続された高電圧側固定電極と、を備えた避雷器であって、
前記絶縁容器の内周面の少なくとも一部に、非線形抵抗コーティングが塗布され、
前記接地側固定電極と前記高電圧側固定電極が、前記非線形抵抗コーティングを介して電気的に接続されていることを特徴とする避雷器。
【請求項２】
前記絶縁容器の前記高電圧側固定電極の近傍部分が、前記高電圧側固定電極からの電気力線に沿った形状に形成されていることを特徴とする請求項１記載の避雷器。
【請求項３】
前記非線形抵抗コーティングが、前記絶縁容器の内面のうち、前記電気力線形状部分と前記筒状部分とが連続している面の周囲において、他の部分よりも厚く塗布されていることを特徴とする請求項２記載の避雷器。
【請求項４】
前記絶縁容器の内面のうち、前記電気力線形状部分と前記筒状部分とが連続している部分が、丸みを帯びた形状に形成されていることを特徴とする請求項２記載の避雷器。
【発明の詳細な説明】
【技術分野】
【０００１】
本発明の実施形態は、電力系統に用いられる避雷器に関する。
【背景技術】
【０００２】
送変電および配電の電力系統においては、落雷などにより発生した過電圧を大地に放電させて系統の施設や電力危機の絶縁を保護するために、避雷器が設けられている。近年では、酸化亜鉛素子を使用した避雷器が、電圧電流非直線性、放電大量特性、化学的安定性の面で優れた特性を有しており、種々の電力系統に適用されている。
【０００３】
このような避雷器は、非直線抵抗体である酸化亜鉛素子を複数個直列に積層して構成された内部要素を有する。内部要素において、酸化亜鉛素子は高電圧電極と接地電極の間に固定されている。この内部要素は、円筒状に形成された絶縁容器の内部に収納される。このとき、内部要素の高電圧電極が、電力系統に電気的に接続されている高電圧側固定電極と接続される。また、内部要素の接地電極は、接地電位部に電気的に接続されている接地側固定金属と接続される。なお、絶縁容器の内部には、絶縁性ガスが封入されている。
【０００４】
以上のように構成されている避雷器では、内部要素は、電力系統の運転電圧下では殆ど電流が流れず絶縁体に近い働きをする。一方、内部要素の動作電圧より高い過電圧が印加された場合には内部要素に大きな電流が流れるため、過電圧が電気系統に接続されている高電圧側固定電極に印加されることはない。
【先行技術文献】
【特許文献】
【０００５】
【特許文献１】特開２０００−３４０４０５号公報
【発明の概要】
【発明が解決しようとする課題】
【０００６】
ところで、避雷器の耐電圧試験においては、内部要素が収納されていない絶縁容器自体が雷インパルス耐電圧試験に耐えることが規格上必要とされている。内部要素が収納されていない場合、過電圧は絶縁容器に印加されることとなる。過電圧が印加された絶縁容器においては、高電圧側固定電極の周辺の電界強度が高くなることで、絶縁上の弱点となることがあった。
【０００７】
この電界集中を解消するために、従来は、絶縁容器のみの耐電圧試験があることを考慮して、例えば円筒状の絶縁容器の直径を大きくしたり、絶縁容器自体の厚みを増したりして、絶縁寸法を確保していた。そのため、避雷器全体が大型化していた。
【０００８】
近年、電力設備は小型化がますます求められており、避雷器の小型化についても需要が高まっている。避雷器を小型化する場合には、絶縁容器を小型化することが重要となる。しかし、絶縁容器の小型化が進めば、内部要素が収納されていない状態での耐電圧試験における電界集中が一層大きくなり、絶縁信頼性が低下することが懸念されていた。
【０００９】
本発明の実施形態は、上記のような従来技術の問題点を解決するために提案されたものである。その目的は、小型化した場合であっても絶縁信頼性の高い避雷器を提供することである。
【課題を解決するための手段】
【００１０】
上記のような目的を達成するための実施形態の避雷器は、内部に絶縁性ガスが封入される筒状の絶縁容器と、前記絶縁容器に収容される非直線抵抗体を複数積層した内部要素と、前記絶縁容器の一方の端部に設けられ、前記内部要素と電気的に接続された接地側固定電極と、前記絶縁容器の他方の端部に設けられ、前記内部要素と電気的に接続された高電圧側固定電極と、を備えた避雷器であって、前記絶縁容器の内周面の少なくとも一部に、非線形抵抗コーティングが塗布され、前記接地側固定電極と前記高電圧側固定電極が、前記非線形抵抗コーティングを介して電気的に接続されていることを特徴とする。
【図面の簡単な説明】
【００１１】
【図１】第１の実施形態の避雷器の概略構成の一例を示す縦断面図である。
【図２】非線形抵抗材料の体積抵抗率の電界依存性を示すグラフである。
【図３】従来の避雷器の概略構成と電界分布の一例を示す説明図である。
【図４】第１の実施形態の避雷器の電界分布の一例を示す説明図である。
【図５】第２の実施形態の避雷器の概略構成の一例を示す縦断面図である。
【図６】第２の実施形態の避雷器の電界分布の一例を示す説明図である。
【図７】第３の実施形態の避雷器の概略構成の一例を示す縦断面図である。
【図８】第３の実施形態の避雷器の電界分布の一例を示す説明図である。
【発明を実施するための形態】
【００１２】
［第１の実施形態］
［１．構成］
以下、本発明の第１の実施形態について、図面を参照して説明する。図１は、本実施形態の避雷器の概略構成の一例を模式的に示す縦断面図である。図１に示す通り、本実施形態にかかる避雷器Ａは、円筒状に形成されている絶縁容器１を含む。絶縁容器１は、例えばシリコーン樹脂、エポキシ樹脂等の絶縁性樹脂から構成されている。絶縁容器１の内部には、絶縁性ガス２が封入されている。絶縁性ガス２は、例えば六フッ化硫黄ガス、窒素、二酸化炭素、乾燥空気のいずれかから適宜選択すれば良い。
【００１３】
また、絶縁容器１の内部には、円柱状の内部要素３が挿入されている。内部要素３は、絶縁容器１の中央部に、絶縁容器１と同軸上に収容されている。この内部要素３は、非直線形抵抗体である酸化亜鉛素子３ａを複数直列に積層したものを有する。また、内部要素３において、酸化亜鉛素子３ａは高電圧電極３ｂと接地電極３ｃの間に固定されている。
【００１４】
絶縁容器１の端部には、接地側固定電極４と高電圧側固定電極５がそれぞれ設けられている。また、絶縁容器１の外周面には導電性塗料６が、内周面の少なくとも一部には非線形コーティング７がそれぞれ塗布されている。
【００１５】
接地側固定電極４は、絶縁容器１と直径を略同一とする円形状の部材であり、絶縁容器１の一端（図１においては下側の端部）に絶縁容器１と同軸上に設けられている。接地側固定電極４は、絶縁容器１側の面が、内部要素３の接地側電極３ｃと電気的に接続されている。また、接地側固定電極４は、絶縁容器１と反対側の面が、接地電位となる導電性塗料６と電気的に接続されている。
【００１６】
高電圧側固定電極５は、絶縁容器１の他端（図１においては上側の端部）に設けられている。高電圧側固定電極５は、絶縁容器１側の面が、内部要素３の高電圧電極３ｂと電気的に接続されている。また、高電圧側固定電極５は、絶縁容器１と反対側の面が、図示しない送変電および配電などの電力系統に電気的に接続されている。
【００１７】
非線形抵抗コーティング７は、絶縁容器１の内周面の少なくとも一部において、高電圧側固定電極５と接触するように塗布されている。本実施形態の非線形抵抗コーティング７は、絶縁容器１の内周面の全面に塗布されている。よって、接地側固定電極４と高電圧側固定電極５とが、非線形抵抗コーティング７を介して電気的に接続されることとなる。
【００１８】
ここで、図２を参照して、非線形抵抗コーティング７に用いられる非線形抵抗材料の特性について説明する。非線形抵抗材料は、所定の電界において抵抗率が非線形的に低下する材料である。すなわち、図２では、動作電界Ｅ１において、抵抗率が非線形に低下している。
【００１９】
具体的には、非線形抵抗材料はその動作電界Ｅ１を超えると、電圧が高い部分では抵抗が低下する一方、電圧が低い部分では抵抗が増加する。従って、電圧が高い部分では電圧分担が低減され、電界が弱くなる。一方、電圧が低い部分では電圧分担が増加され、電界が強くなる。従って、非線形抵抗材料において、電界均等化の作用が働き、電界が強い部分の電界強度が緩和される。このような非線形抵抗材料としては、酸化亜鉛や炭化珪素を用いることができる。非線形抵抗コーティング７は、非線形抵抗材料の粉末を塗料に溶解したり、樹脂に充填したりしたものを用いることができる。
【００２０】
さらに、本実施形態の避雷器Ａでは、絶縁容器１の円筒形状部分のうち、高電圧側固定電極５に近傍する部分（以下、近傍部分という）が、高電圧側固定電極５の電気力線に沿った形状に形成されていることが好ましい。例えば、図１の絶縁容器１の近傍部分は、高電圧側固定電極５の電気力線に沿うように、絶縁容器１の円筒形状部分から、高電圧側固定電極５に向かってすぼまっていくテーパー形状となっている。
【００２１】
もちろん、等電位線に直交する線は複数あるため、電気力線は複数想定することができる。本実施形態の避雷器Ａでは、電気力線に沿う形状に加工することに加えて、避雷器Ａに収容される内部素子３の寸法、作業員による作業スペースを考慮した上で、避雷器Ａを最も小さく設計できる電気力線に沿う形状が採用されている。
【００２２】
［２．作用・効果］
以上のような構成を有する本実施形態の作用について以下に説明する。なお、避雷器Ａに落雷等に起因する高電圧が印加された場合の作用については、従来と同様の作用であるためその記載を省略する。以下では、内部要素３が収容されていない絶縁容器１の雷インパルス耐電圧試験（以下、空耐電圧試験という）における作用について、従来例と比較しながら説明する。
【００２３】
まず、図３に示す従来の避雷器Ｂにおける、空耐電圧試験時の電界分布について説明する。ここで、従来の避雷器Ｂは、絶縁容器１の内周面に非線形抵抗コーティングが塗布されていない。また、絶縁容器１は円筒形状であり、高電圧側固定電極５の近傍部分の形状が加工されていない点において、特に本実施形態の避雷器Ａと異なる。図３では、避雷器Ｂの右側に、絶縁容器１の長手方向と対応する電界強度Ｅａをプロットした電界分布図を示す。
【００２４】
図３からも明らかな通り、従来の避雷器Ｂで空耐電圧試験を行うと、絶縁容器１の内周面のうち高電圧側固定電極５の周辺においては、高電圧が印加されるため電界が強くなる。また、絶縁容器１に比べて絶縁性ガス２の耐電圧が低いために、高電圧側固定電極５の周辺かつ絶縁性ガス２側にある内周面（例えば図３において、点線の円で囲まれた範囲）において、沿面方向の電界がより強くなる。従来の避雷器Ｂでは、高電圧側固定電極５の周辺部において、絶縁容器１の内周面で電界集中が生じやすく、絶縁上の弱点となっていた。
【００２５】
一方、本実施形態における避雷器Ａの空耐電圧試験時の電界分布の一例を図４に示す。図４から明らかな通り、高電圧側固定電極５に近傍する絶縁容器１の内周面において、電界強度が低くなり、電界集中が緩和されている。絶縁容器１の内面のうち、電気力線形状部分と、円筒状部分とが連続している面に角が形成されるため、電界集中が生じるが、絶縁性ガス２の絶縁破壊電界よりも低く抑制できている。
【００２６】
以上のような電界集中の緩和の効果は、まず、非線形抵抗コーティング７により奏されている。すなわち、絶縁容器１の内周面に非線形抵抗コーティング７が塗装されているので、絶縁容器１の内周面において非線形抵抗コーティング７による電界均等化の作用が働き、電圧が強い部分の電圧分担を、電圧が低い部分が負担することとなる。よって、電界集中を緩和することができる。
【００２７】
また、絶縁容器１の近傍部分は、高電圧側固定電極５の電気力線に沿う形状に形成されている。このため、空耐電圧試験時において、高電圧側固定電極５に高電圧が印加された場合に、非線形抵抗コーティング７で発生する電界が主に沿面成分から構成される。非線形抵抗コーティング７は絶縁容器１の内周面に塗布されているため、非線形抵抗コーティング７に沿って発生する沿面成分の電界によって抵抗特性が変わる。よって、絶縁容器１の近傍部分を電気力線に沿う形状に形成し、発生する電界を沿面方向とすれば、さらに効果的かつ確実に非線形抵抗コーティング７の電界均等化の作用を得ることができる。
【００２８】
以上のように、本実施形態の避雷器Ａによると、空耐電圧試験においても耐電圧性能を
保つことができる。従って、空耐電圧試験を考慮して絶縁容器１を大型化する必要がない。以上より、絶縁容器１を小型化させることが可能となり、コンパクトな避雷器Ａを提供することができる。また、避雷器Ａにおいて、絶縁容器１の小型化を進めた場合であっても、空耐電圧試験における電界集中を絶縁破壊電界以下に抑制することができるため、絶縁信頼性を向上させることができる。
【００２９】
[第２の実施形態]
[１.構成]
第２の実施形態の避雷器Ａの概略構成の一例を図５に示す。第２の実施形態では、非線形抵抗コーティング７が、絶縁容器１の内面のうち、電気力線形状部分と筒状部分とが連続している面の周囲において、他の部分よりも厚く塗布されている。なお、第１の実施形態と同じ部分については同一符号を付して説明は省略する。
【００３０】
本実施形態の避雷器Ａでは、絶縁容器１の内面において、電気力線に沿って形成されたテーパー形状の面と、円筒形状の面という角度が異なる２面が連続している。従って、この２面が連続する部分に角が形成される。本実施形態の非線形抵抗コーティング７は、この角の部分を覆うように塗布された肉厚部分８を含む。この肉厚部分８は、絶縁容器１のその他の部分よりも非線形抵抗コーティング７を厚く塗布することで形成されている。なお、肉厚部分８は、絶縁容器１の内面形状に角がある場合など、電界集中の原因となる部分に適宜設けることもできる。
【００３１】
肉厚部分８が形成されると、絶縁容器１が有する角の形状が、非線形抵抗コーティング７の表面形状に影響を与えることが無い。すなわち、角を形成する２面に塗布された非線形抵抗コーティング７において、肉厚部分８の表面が丸みを帯びた形状となる。丸みを帯びた形状とは、角を形成する２面に塗布された非線形抵抗コーティング７の表面が、曲面形状となっており、頂点を有する角がないことを意味する。曲面形状は真円の弧の形状に限定されるものではなく、楕円形状でも良い。すなわち、角が無ければ曲面形状と解して良い。
【００３２】
[２.作用・効果]
以上のような第２の実施形態特有の作用効果としては、第１の実施形態と比べて、さらに電界集中を抑制できることがある。すなわち、非線形抵抗コーティング７が肉厚部分８を含んでいるため、絶縁容器１の内面形状に角を有する部分が形成されていたとしても、非線形抵抗コーティング７に電流をスムーズに流す電流路を形成することができる。すなわち、電流は非線形抵抗コーティング７の沿面部分を流れるので、非線形抵抗コーティング７の表面形状が丸みを帯びている場合には、角を有する面のように電流の流れが妨げられることがない。
【００３３】
従って、本実施形態の避雷器Ａでは、図６の電界分布図に示す通り、絶縁容器１の内面形状に角がある場合でも、この角に起因する電界集中が生じることがない。これは非線形抵抗コーティング７の沿面にて、電流がスムーズに流れるため、非線形抵抗コーティング７の抵抗特性を確実に作用させて電界緩和効果を得ることができるからである。よって、避雷器Ａにおいて、絶縁容器１の小型化を進めた場合であっても、空耐電圧試験における電界集中をより確実に抑制することができるため、絶縁信頼性を向上させることができる。
【００３４】
[第３の実施形態]
[１.構成]
第３の実施形態の避雷器Ａの概略構成の一例を図７に示す。第３の実施形態では、絶縁容器１の内面のうち、電気力線形状部分と筒状部分とが連続している部分が、丸みを帯びた形状に形成されている。なお、第１の実施形態と同じ部分については同一符号を付して説明は省略する。
【００３５】
本実施形態の避雷器Ａは、絶縁容器１の電気力線に沿って形成されたテーパー形状の面と、円筒形状の面という角度が異なる２面が連続している部分が、丸みを帯びた形状９に形成されている。例えば、連続している部分は、テーパー形状の面と円筒形状の面のそれぞれに内接する円弧の形状となるように加工されている。
【００３６】
ここで、丸みを帯びた形状９とは、電気力線形状部分と円筒状部分が連続している部分の表面が、曲面形状となっており、頂点を有する角がないことを意味する。曲面形状は真円の弧の形状に限定されるものではなく、楕円形状でも良い。すなわち、角が無ければ曲面形状と解して良い。
【００３７】
[２.作用・効果]
以上のような第３の実施形態特有の作用効果としては、第１の実施形態と比べて、さらに電界集中を抑制できることがある。すなわち、電気力線形状部分と筒状部分とが連続している部分が、丸みを帯びた形状に形成されているため、絶縁容器１の内周形状が角を有さない。絶縁容器１の内面形状が丸みを帯びている場合には、塗布された非線形抵抗コーティング７の表面も丸みを帯びることとなる。よって、非線形抵抗コーティング７に電流をスムーズに流すことができる電流路を形成することができる。電流は非線形抵抗コーティング７の沿面部分を流れるので、角を有する面のように電流の流れが妨げられることがない。
【００３８】
また、予め絶縁容器１の電気力線形状部分と筒状部分とが連続している部分を、丸みを帯びた形状としているため、絶縁容器１の内周面において非線形抵抗コーティング７を均一の厚さで塗布することができる。通常、溶剤などに溶解された非線形抵抗材料は、絶縁容器１に塗布された後、乾燥されるまで溶剤内で沈殿する。この沈殿等により、非線形抵抗コーティング７の抵抗特性に部分的な偏りが生じる可能性がある。
【００３９】
このような沈殿の現象は、非線形抵抗コーティング７の厚みが大きい部分でより頻繁に生じる。従って、絶縁容器１の内面形状を、非線形抵抗コーティング７が均一の厚さで塗布できる形状に形成することで、非線形抵抗コーティング７の抵抗特性の部分的な偏りを抑制することができる。よって、さらに効果的かつ確実に非線形抵抗コーティング７の電界均等化の作用を得ることができる。
【００４０】
従って、本実施形態の避雷器Ａでは、図８の電界分布図に示す通り、絶縁容器１の形状に起因する電界集中が生じることがない。これは非線形抵抗コーティング７の沿面にて、電流がスムーズに流れるため、非線形抵抗コーティング７の抵抗特性を確実に作用させて電界緩和効果を得ることができるからである。よって、避雷器Ａにおいて、絶縁容器１の小型化を進めた場合であっても、空耐電圧試験における電界集中をより確実に抑制することができるため、絶縁信頼性を向上させることができる。
【００４１】
[他の実施形態]
（１）上記の実施形態においては、電界均等化の効果が高い例として、絶縁容器の内周面全体に非線形抵抗コーティングを塗布する例を記載したが、非線形抵抗コーティングは必ずしも絶縁容器の内周面全体に塗布する必要はない。例えば、絶縁容器の高電圧側固定電極側のように、特に電界集中が生じ易い部分にのみ塗布し、塗布された非線形抵抗コーティングと接地側固定電極を、非線形抵抗コーティングを内周面の一部に細く塗布したり、リード線等の導電性部材を用いたりして電気的に接続した場合も、上記の実施形態と同様の効果が得られる。また、非線形抵抗コーティングの塗布量を低減することができるため、経済性および作業性に優れている。
【００４２】
（２）上記の実施形態においては、絶縁容器を円筒状とし、それに対応する内部素子や電極等の形状を記載したが、避雷器を構成する各部材の形状、寸法は上記実施形態に限定されるものではない。例えば、接地側固定電極は絶縁容器より直径が大きいものを用いても構わない。また、高電圧側固定電極は、絶縁容器の一端を覆うように設けられていても良い。すなわち、絶縁容器の基本構造がどのような形状であっても、上記の実施形態の構成を適用することにより電界集中緩和の効果が得られる。
【００４３】
（３）本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４４】
Ａ、Ｂ…避雷器
１…絶縁容器
２…絶縁性ガス
３…内部素子
３ａ…酸化亜鉛素子
３ｂ…高電圧電極
３ｃ…接地電極
４…接地側固定電極
５…高電圧側固定電極
６…導電性塗料
７…非線形抵抗コーティング
８…肉厚部分
９…丸みを帯びた形状
【図１】
2014187151.tif 000003
【図２】
2014187151.tif 000004
【図３】
2014187151.tif 000005
【図４】
2014187151.tif 000006
【図５】
2014187151.tif 000007
【図６】
2014187151.tif 000008
【図７】
2014187151.tif 000009
【図８】
2014187151.tif 000010